(57)【要約】【課題】  排出球が、賞球か貸球であるかの区別を明瞭にし、同時に総払出賞球数の計数を確実にする。【解決手段】  排出機構は、単一の駆動源としての球排出モータと、球排出モータによって駆動され、賞球払出及び球貸しを行なうために遊技球を下流方向へ送る一対の球送り部材と、一対の球送り部材に駆動力を伝達する伝達機構と、一対の球送り部材によって排出される遊技球を検出する球排出センサ装置と、球排出モータ、一対の球送り部材、伝達機構及び球排出センサ装置を収容し、内部に賞球払出及び球貸しを行なうための遊技球が流下する二条の遊技球通路を一体的に形成してなるケースと、を含む一つのユニットとして形成され、駆動源は回転駆動源であり、順方向の駆動力と逆方向の駆動力の２方向の駆動力を発生することを特徴とする遊技機とした。【選択図】  図７
2010042289.tif 000002
【特許請求の範囲】
【請求項１】
賞球払出及び球貸しを行なう排出機構を備えた遊技機において、
前記排出機構は、
単一の駆動源としての球排出モータと、
前記球排出モータによって駆動され、賞球払出及び球貸しを行なうために遊技球を下流方向へ送る一対の球送り部材と、
前記一対の球送り部材に駆動力を伝達する伝達機構と、
前記一対の球送り部材によって排出される遊技球を検出する球排出センサ装置と、
前記球排出モータ、一対の球送り部材、伝達機構及び球排出センサ装置を収容し、内部に賞球払出及び球貸しを行なうための遊技球が流下する二条の遊技球通路を一体的に形成してなるケースと、
を含む一つのユニットとして形成されており、
前記駆動源は回転駆動源であり、順方向の駆動力と逆方向の駆動力の２方向の駆動力を発生する
ことを特徴とする遊技機。
【請求項２】
前記球送り部材は、賞球送り部材と貸球送り部材とであり、
前記伝達機構は、前記賞球送り部材に対し順方向駆動力を伝達する順方向伝達機構と、前記貸球送り部材に対し逆方向駆動力を伝達する逆方向伝達機構とである
ことを特徴とする請求項１に記載の遊技機。
【請求項３】
前記伝達機構は、ワンウェイ噛合構造を有し、このワンウェイ噛合構造は、前記駆動源が順方向に駆動される際は順方向駆動力を前記賞球送り部材に伝達する一方で前記貸球送り部材に対しては順方向駆動力を伝達せず、前記駆動源が逆方向に駆動される際は、逆方向駆動力を前記貸球送り部材に伝達する一方で前記賞球送り部材に対しては逆方向駆動力を伝達しないものであり、前記順方向駆動力により賞球払出が行われ、前記逆方向駆動力により球貸しが行われる
ことを特徴とする請求項２に記載の遊技機。
【発明の詳細な説明】
【技術分野】
【０００１】
本発明は、賞球払出及び球貸しを行なう排出機構を備えた遊技機に関する。
【背景技術】
【０００２】
賞球払出及び球貸しを行なう排出機構に関しては、さまざまな発明が出願され、また実施に至っている。大まかに分けても、払出個数を一気に払い出すもの、逆に一つずつ払い出すもの、払出の機構をソレノイドで駆動するもの、モータで駆動するもの、また複数の球流路によりそれぞれ球送りするもの、等がある。
【先行技術文献】
【特許文献】
【０００３】
【特許文献１】特開平１１−３４７２１１号公報
【特許文献２】特開平１１−３０００００号公報
【特許文献３】特開平５−５７０５２号公報
【発明の概要】
【発明が解決しようとする課題】
【０００４】
しかしながら多くの様式においては、賞球と貸球の区別が不明瞭であり、遊技者に排出球が賞球であるのか貸球であるのかの事由報知や、賞球累積数情報を報知したいと意図する場合に難点があり、またホールの出球管理の上で必要な総払出賞球数の計数に課題を有していた。
【０００５】
それらに関しては払出機構の制御時に出される信号から、ソフト的に計数管理する方法と、賞球と貸球の払出流路を区別して検知するという機構的な方法があるが、確実性に関する限り後者の機構的な方法が優っていると考えられ、例えば特開平１１−３４７２１１号公報の発明のように、１つの球流路からの流下球を１つの球送り機構によって賞球路と貸球路に振分けるものが開示されている。しかしこの構造では、球送り部に球が入りかかったとき反転すると、球が分岐部の通路壁と球送り部の間に噛み込まれることも考えられ、そのような場合には払出の停止や機構の破損なども起こりかねない。
一方、タンクレールの末端などで球流路を分流し、その２流路をそれぞれ球送りする機構も開示されており、例えば特開平１１−３０００００号公報などでは球流路を２つに分け、係止片をもって係止・貯留し、ソレノイドの駆動によって払出しを行なっている。しかしこの形態においては払出し個数を限定するような機構を流路上流に設ける必要があり、またその部分での該機構と球とのブリッジにも留意しなければならず、排出機構全体としてみると必然的に大型化を免れないという問題がある。そうした点の改善として、二条の球流路をそれぞれ賞球払出しと球貸しに充当して歯車タイプの払出し機構を有するものが特開平５−５７０５２号公報に開示されているが、二つの球送り機構の駆動をそれぞれ対応するモータを二つ備えて別駆動のものとしたため、結果的に装置はやはり大型化し、同時にコスト高が問題となっている。
【課題を解決するための手段】
【０００６】
上記課題を解決するために、請求項１に記載の本発明は、賞球払出及び球貸しを行なう排出機構を備えた遊技機において、
前記排出機構は、
単一の駆動源としての球排出モータと、
前記球排出モータによって駆動され、賞球払出及び球貸しを行なうために遊技球を下流方向へ送る一対の球送り部材と、
前記一対の球送り部材に駆動力を伝達する伝達機構と、
前記一対の球送り部材によって排出される遊技球を検出する球排出センサ装置と、
前記球排出モータ、一対の球送り部材、伝達機構及び球排出センサ装置を収容し、内部に賞球払出及び球貸しを行なうための遊技球が流下する二条の遊技球通路を一体的に形成してなるケースと、
を含む一つのユニットとして形成されており、
前記駆動源は回転駆動源であり、順方向の駆動力と逆方向の駆動力の２方向の駆動力を発生する
ことを特徴とする遊技機として構成してある。
【０００７】
このようにすれば、単一の駆動源で賞球と貸球の両方の排出をなすことができるため、排出機構全体の大型化や部品増によるコストアップも回避しつつ賞球と貸球の確実な計数管理を実現することができる。また、排出機構を、球排出モータと、一対の球送り部材と、伝達機構と、球排出センサ装置と、これら球排出モータ、一対の球送り部材、伝達機構及び球排出センサ装置を収容し、内部に賞球払出及び球貸しを行なうための遊技球が流下する二条の遊技球通路を一体的に形成してなるケースとを含む一つのユニットとして形成しているので、装置の小型化とともに交換や整備を容易にすることができる。また、駆動源を順方向の駆動力と逆方向の駆動力の２方向の駆動力を発生する回転駆動源としているので、既存の部材や構成を好適に使用することが可能となる。
【０００８】
そして、請求項２に記載のように、球送り部材を、賞球送り部材と貸球送り部材とし、伝達機構を、賞球送り部材に対し順方向駆動力を伝達する順方向伝達機構と、貸球送り部材に対し逆方向駆動力を伝達する逆方向伝達機構とすれば、既存の構成にそれぞれの球送り部材に対する伝達機構を付加するだけで良く、開発・製造のコストをアップさせずに済むことができる。また回転駆動源と球送り部材の位置関係の自由度が増し好適に各種の裏機構盤に対応する形状とする効果も望める。
【０００９】
上記のような駆動力の伝達機構の具体的構成として、請求項３に記載のように、駆動源が順方向に駆動される際は順方向駆動力を賞球送り部材に伝達する一方で貸球送り部材に対しては順方向駆動力を伝達せず、駆動源が逆方向に駆動される際は、逆方向駆動力を貸球送り部材に伝達する一方で賞球送り部材に対しては逆方向駆動力を伝達しないワンウェイ噛合構造の伝達機構を提示できる。これによって、順方向駆動力により賞球払出しが行われ、逆方向駆動力により球貸しが行われるため、二つの流路に分けられた賞球と貸球の排出を、モータの反転駆動のみで明確に区別して実行することができる。
【００１０】
ところで、ワンウェイ噛合構造は、駆動側から被駆動側への伝達は、噛合する方向へは有効であり逆向きは無効であるため、被駆動側が、逆方向即ち噛合する方向へと自転しようとすることに対しては、駆動側は噛合により係止するが、当然ながら、順方向すなわち噛合しない方向へは強い係止力を持たない。そこで排出機構に球送り制動機構を備えたものとすることが考えられる。これにより、排出機構の上流部分に貯留された球の自重によって、被駆動部材である球送り機構が押し回されるのを防止することができる。
【００１１】
また、賞球払出し数と貸球数を明確に把握するために、駆動源が順方向駆動される際の賞球送り部材を通る球数を検出する賞球センサ部と、駆動源が逆方向に駆動される際の貸球送り部材を通る球数を検知する貸球センサ部を備える構成も考えられる。
【００１２】
こうすれば課題の一つである、ホールの出球管理に必要とされる賞球数把握の明確化を実現する効果を兼ね備えた排出機構を有する遊技機とすることができる。
【発明の効果】
【００１３】
上述のように構成された排出機構を備えた遊技機においては、単一の回転駆動源で賞球と貸球の両方の排出をなし、排出機構全体の大型化も部品増によるコストアップも回避しつつ賞球と貸球の確実な計数管理を実現することができる。
【図面の簡単な説明】
【００１４】
【図１】本発明の遊技機の正面図である。
【図２】遊技機の裏面図である。
【図３】裏機構盤の球流下部を示す図である。
【図４】球排出装置の分解斜視図である
【図５】球排出装置の垂直断面図である。
【図６】球送り部材の正面図である。
【図７】球送り動作に関する説明図である。
【図８】球と球送り部材に働く力を模式的に説明した図である。
【図９】球送り部材とカウントスイッチとの位置関係を示す模式図である。
【図１０】球排出モータと球送り部材との位置関係を上方から見た模式図である。
【発明を実施するための形態】
【００１５】
以下、本発明の実施の形態を、図面に示す実施例に基いて説明する。図１に示すように、遊技機１は、裏面にガラス板が嵌められた前面枠２が中枠３に開閉可能に軸着され施錠装置５により開閉可能となっており、また、この中枠３が本体枠４に開閉可能に軸着されている。中枠３の下方には、上皿６及び下皿７が配置されている。上皿６及び下皿７には、それぞれに、遊技機１の内部から遊技球を排出するための排出口６ａ，７ａがそれぞれ開口している。上皿６には複数の長孔を有するスピーカ面８が設けられており、その裏側には遊技状態に応じた効果音や警報音を発するブザーとしても兼用されているスピーカ（図示略）が装着されている。上皿６の上表面の右側には、操作パネル１０が配置されている。操作パネル１０にはプリペイドカードの残高表示とエラー表示を行う表示部と、遊技球の貸球を行う球貸しボタン１０ａやカード返却ボタン等各種操作ボタンが備えられている。下皿７には、上皿６から供給される遊技球を発射するための発射装置ユニット１０７（図２参照）を操作する発射ハンドル１１が設けられている。この発射ハンドル１１には遊技者がタッチしていることを検出するタッチスイッチ１１ａが装着され、発射ハンドル１１の近傍には発射停止を一時的に指令する発射停止スイッチ１１ｂが設けられている。
【００１６】
前面枠２の上部には、枠飾りランプ１２，１３，１４，１５が設けられ、これらに対応して、枠飾りランプ基板１６が設置されている。それらの左側上方には、賞球表示ＬＥＤ１７及び賞球表示ＬＥＤ基板１８が、右側上方にはストップ表示ＬＥＤ１９及びストップ表示ＬＥＤ基板２０が位置しており、これらは中枠３に装着されている。スピーカ面８の左方裏側には音量スイッチ基板（図示略）さらに、下皿７の排出口７ａの内部には下皿満タンスイッチ（図示略）が設けられており、この下皿満タンスイッチは下皿７内の遊技球量が過度に増えたことを検出する。
【００１７】
中枠３には、遊技盤２４が背面側からが着脱自在に固定されている。遊技盤には外レール５３、内レール５４、ファール球防止部材５２及び返しゴム５６によって遊技領域２５が区画形成されている。遊技領域２５には、センター役物、普通図柄作動ゲート、液晶表示盤を含み構成された特別図柄表示装置２８、条件装置として動作しアタッカーとも呼ばれる大入賞装置、第１種始動口（普通電動役物）、普通入賞口などの各種入賞口２９、アウト口５０などが設けられている。
【００１８】
次に遊技機１の裏側構造を、図２を参照して説明する。中枠３は本体枠４にヒンジ６０により開閉自在に支持されている。中枠３にはヒンジ６１により機構盤６２が着脱自在に固定されている。機構盤６２は、中央部に特別図柄表示装置３３を格納した角型の開口部と、その特別図柄表示装置３３を蔽う裏蓋１０２を備えている。裏蓋１０２の下側に主制御部１４０が設けられている。主制御部１４０はユニット化されたもので、機構盤６２の下側の部位に外付けされている。主制御部１４０の左側に発射装置制御部１０３、発射制御集合中継基板１０６が各々設けられている。発射装置制御部１０３には、タッチ感度調整つまみ１０４、球飛び強弱調整つまみ１０５が設けられている。機構盤６２の左下側に発射装置ユニット１０７が設けられている。
【００１９】
機構盤６２の上部左側には、遊技球の荷重の有無によって遊技球の有無を検知するタンク球切れ検知スイッチ６３を有する賞球タンク６４が備えられている。この、賞球タンク６４の下方にはタンクレール６５が装着され、そのタンクレール６５の右端は球抜き通路１２０に連通し（図３参照）、それを開閉する球抜きレバー６６が設けられている。タンクレール６５の右端の開口部８５は、球排出装置９９などを含み上皿導入口６８及び下皿導入口６９に到る球流下部７０を備えている。（図３参照）
【００２０】
機構盤６２の右側には枠状態表示器１０８を備えた枠制御部１５０が設けられている。枠状態表示器１０８は、補給球詰まり、下受け皿満タン、主電源電圧異常、発射停止、主基板通信異常、球排出モータ異常などを７セグメントＬＥＤ表示器を用いて表示するものである。枠制御部１５０は主制御部１４０の右下に位置している。
【００２１】
機構盤６２の右上隅部には、外部情報端子部１１１、電源ターミナル基板１６０及び電源ケーブル１１６などが設けられている。枠制御部１５０から接続ケーブル１１０が上方に延び出し、電源ケーブル１１５を備えたプリぺイドカードユニット２２に接続されている。機構盤６２の下側に下皿用球通路部材１１８が設けられている。
【００２２】
なお、図２の機構盤６２右側面の下端側には、枠制御部１５０に備えられた押圧式のリセットスイッチ１１９が露出しているが、このリセットスイッチ１１９は一般的な自動復帰式の手動スイッチが採用されている。また、上述した以外の構成についても一般的なものが採用されているため、ここではそれらの図示や詳細な説明は省略する。
【００２３】
次に図３を参照して球流下部７０の構成を説明する。球流下部７０には、賞球通路７３及び貸球通路７４が形成されるとともに、球排出装置９９が装着されている。賞球通路７３及び貸球通路７４は機構盤６２の前後方向に区画された２条の樋からなり、上部では各々上下にほぼ直線状に形成されて、互いにほぼ平行に延びており、その上端は、タンクレール６５の右端下部の開口部８５に接続されている。また、賞球通路７３及び貸球通路７４の上端部近傍の流路途中には、機構盤から着脱可能に嵌着された光センサ式の補給球切れ検知スイッチユニット８６が配設されている。補給球切れ検知スイッチユニット８６は押え部材８６ａによって支持されている。なお、補給球切れ検知スイッチには、球切れスイッチレバーの揺動によってＯＮ／ＯＦＦするような接触式の補給球切れ検知スイッチを採用しても良い。また、本実施形態においては、補給球切れ検知スイッチユニット８６の光センサは、賞球通路７３及び貸球通路７４毎に別個に設置されており、賞球通路７３及び貸球通路７４の遊技球の球切れは個別に検出される。
【００２４】
一方、賞球通路７３及び貸球通路７４の下方は、球排出装置９９に接続されている。図４に示すように、上記球排出装置９９は、直方体状のケース７７内に、球排出モータ８０、球送り部材７６、モータ回転角検出歯車８１、モータ回転角検出センサ８２、賞球カウントスイッチ７８、貸球カウントスイッチ７９（図５参照）及び球排出装置センサ基板９６を収容している。球送り部材７６は賞球通路７３に装着される賞球送り部材７６ａと、貸球通路に装着される貸球送り部材７６ｂである。また、球排出モータ８０は正逆回転可能なステッピングモータであり、前述の主制御部１４０及び枠制御部１５０の指令に基づいて動作する。
【００２５】
図５に示すように、ケース７７には二条の遊技球通路７５が形成されている。この遊技球通路７５は上端部及び下端部で賞球通路７３及び貸球通路７４に連通している。また図９に示すように遊技球通路７５は途中に屈曲部７５ａを経たのち、上流側通路の延長に近い方向に戻りつつ、出口に通じ下流の賞球通路７３及び貸球通路７４に通じている。
【００２６】
賞球送り部材７６ａ及び貸球送り部材７６ｂの下流側通路直近には、図９に示すように、排出される球を捉えて検出するような位置に、賞球カウントスイッチ７８及び貸球カウントスイッチ７９が装着され、球排出装置センサ基板９６によって、各々の球排出数をカウントしている。賞球カウントスイッチ７８及び貸球カウントスイッチ７９は略コの字型に形成され、両端凸部に設けられた一対の投光器と中央凹部に設けられた受光器とを有する光センサが用いられている。
【００２７】
球流下部７０の右側には球抜き通路１２０が形成されており、この球抜き通路１２０はタンクレール６５の下流側端部から分岐している。また、球流下部７０の下流領域には、下皿７に通じる下皿導入口６９が形成され、その途中に上皿６に通じる上皿導入口６８が開口している。流下球は上皿６に優先して排出され、上皿６が満杯になると下皿賞球を下皿７に溢流させて、賞球を振り分ける。
【００２８】
遊技球は、賞球タンク６４、タンクレール６５を経て、球流下部７０に供給される。球流下部７０において遊技球は、球切れ検知スイッチユニット８６の内部通路を経て賞球通路７３及び貸球通路７４を流下する。その後賞球通路７３及び貸球通路７４の屈曲部を通過した遊技球は球排出装置９９に達し、遊技球通路７５に流入して球送り部材７６に接する。後続の遊技球は先行の遊技球上に載置され、先行の遊技球の上に順に堆積する。また、賞球通路７３及び貸球通路７４の長さは、賞球送り部材７６ａ及び貸球送り部材７６ｂから球切れスイッチレバー９０までの間の遊技球数が２５個以上となるよう設定されている。この個数は単位貸球数（単位球貸し金額（ここでは１００円）を球単価（ここでは４円）で除した値）に一致している。
【００２９】
図６は球送り部材７６の正面図である。球送り部材７６は合成樹脂の成形品であり、ボス７６ｃと球送り羽根７６ｄからなる。一方、球排出モータ８０の出力を伝達するワンウェイ駆動伝達部８０ｅは、軸心８０ａと中間伝達部８０ｃとそれぞれ大きさの異なる伝達球８０ｂ、及び伝達球８０ｂを収納して一端を狭く、他端を広く形成し、広く形成した端には弾性部材を配した伝達球収納部８０ｄから構成されている。
【００３０】
このワンウェイ駆動伝達部８０ｅは球排出モータ８０が右回りに駆動すると、軸心８０ａが中間伝達部８０ｃとともに回転し、大きさの順にならんだ伝達球８０ａを狭い方の端に押し付け、それによってボス部７６ｃとの摩擦により球送り部材７６を回転させる。逆に球排出モータ８０を左回りに駆動すると、伝達球は広い方に転がされるとともに端部に備えられた弾性部材によって遊動するため、駆動力はボス部７６ｃには伝達されず球送り部材７６は静止したままとなる。このような構成のいわゆるワンウェイ歯車によって、賞球送り部材７６ａ球排出モータ８０の順方向の駆動力だけを伝達されるように、逆に貸球送り部材７６ｂは球排出モータ８０の逆方向の駆動力だけを伝達されるように球排出モータ８０の出力軸に噛合装着されている。
【００３１】
また賞球通路７３及び貸球通路７４は球排出装置９９の直前において屈曲しているため、賞球通路７３及び貸球通路７４に堆積した遊技球の重量は多方向に分散され、球送り部材７６に過度の負荷が作用することが防止されている。さらに球排出装置９９内部の遊技球通路７５が球送り部材７６と接触する直前で横向きの通路形状とされているため、球は球送り部材７６に接触した時点では、図８（ａ）に示すような力を後続球と通路壁及び球送り部材７６から受けている。図８（ｂ）はこれらの力の和を模式的に示したものである。このように球送り部材に戴置された球が後続球と通路壁から受ける力の合力によって、球送り部材を払い出し回転方向とは逆に付勢するような通路形状として構成してあるため、球重量の負荷による球送り部材７６を押し回しすることを防止している。なお、球送り部材の押し回しの防止に関しては、球送り部材７６に定常的に摩擦力を働かせるなどの手法も可能であり、それらを単独で用いることも、本実施例の通路形状と併せて用いることも可能である。また、被駆動部が駆動に因らず自転してしまうことを防止できるワンウェイ噛合構造を採用した場合には、これら球送り部材７６が球による押し回されるのを防止する構造を省略することもできる。
【００３２】
なお、図１０は球排出モータ８０、賞球ならびに貸球流路に装着される球送り部材７６を流路上方から見た模式図である。本実施例においては（ａ）の形態となっているが、（ｂ）のように外接する歯車機構を経て駆動力を伝達する機構や、（ｃ）のように、単一の球送り歯車を正逆回転して二つの排出装置を択一駆動する機構、さらには（ｄ）のように、球送り部材の軸部にワンウェイの伝達機構を設けるのでなく、球排出モータ８０と軸着する２本の駆動軸をワンウェイ噛合とし、球排出モータ８０の正逆回転にそれぞれ対応して駆動するように構成するなど、さまざまな例が考えられるが、これらは装着すべき機構盤等に応じて適宜対応して設計製作することが可能である。
【００３３】
次に払出し動作について説明する。賞球排出が行われる場合には、球排出装置９９の球排出モータ８０は、枠制御部１５０により正方向に駆動され、賞球送り部材７６ａが図７（ａ）に示すように反時計回りに回転する。賞球送り部材７６ａの回転に伴い、賞球通路７３の遊技球は払出し機構の下流の賞球通路７３に放出される。放出された遊技球は、その直後に賞球カウントスイッチ７８を通過して個々に検出される。そして、これらの遊技球は、球流下部７０から流出して上皿導入口６８から上皿６に放出される。
【００３４】
ところで、上記の払出し動作時において、制御は次のようになされている。まず主制御部１４０が各種入賞口２９への入賞球を検知すると、賞球数情報を枠制御部１５０へ送信し、所定数の賞球の排出を要求する。この時、主制御部１４０から取得されたコマンドにより、６個、１５個の順で払い出すべき賞球数が確認されて、６個、１５個、１０個のいずれかの賞球数に対応したメモリが「１」加算される。枠制御部１５０は、主制御部１４０から要求された賞球数に応じて、球排出モータ８０を正方向に駆動させる。排出された賞球は賞球カウントスイッチ７８によって検出され、検出結果が主制御部１４０へ送られる。主制御部１４０は、賞球カウントスイッチ７８の計数値に基づいて、要求通りの数の賞球が排出されたか否かを確認し、処理を終了する。枠制御部１５０も排出数を確認し、排出数が主制御部１４０からの要求数に対して不足している場合は、枠制御部１５０は球排出モータ８０を、排出数管理情報に従って、図７（ａ）のように順方向に再試行動作させ賞球送り部材７６ａだけを駆動して、不足分の賞球排出を行い、処理を終了する。その排出数管理は具体的には、賞球スイッチ情報がＯＮになっているか否かを判断し、ＯＮであれば排出総個数メモリを「１」減算し、排出カウンタが「０」になったか否かが判断され「０」になっていれば、排出数が主制御部１４０からの要求数に対して充足している事を意味し、賞球排出中フラグがクリアされて処理を終了する。またモータ回転角検出センサが検出するモータ回転角検出歯車８１の回転を検出して、その結果とも照合している。
【００３５】
一方、球貸しが行われる場合には、操作パネル１０の球貸ボタン１０ａが押下されると、枠制御部１５０が球貸要求を受信する。枠制御部１５０は、２５個の貸球が排出されるよう、球排出モータ８０を逆方向に駆動させる。排出された貸球は貸球カウントスイッチ７９によって検出され、枠制御部１５０は貸球カウントスイッチ７８の計数値に基づいて、要求通りの数の貸球が排出されたか否かを確認する。検出された貸球数が２５個に満たない場合には、枠制御部１５０は球排出モータ８０を、図７（ｂ）のように賞球払出しとは逆方向に回転し、賞球払出しの場合と同様に排出数が主制御部１４０からの要求数に対して不足している場合は、枠制御部１５０は球排出モータ８０を排出数管理情報に従って再試行動作させ、貸球送り部材７６ｂの方だけで貸球を排出して不足分の貸球排出を行い、処理を終了する。例えば５００円分の球貸しが行われる場合は、上述の動作が５回繰返される。検出された貸球数が２５個以上の場合には、処理を終了する。なお、球貸しの場合は、球排出モータ８０の回転量は単位貸球数（ここでは２５個）に応じて決定される。さらに、１００円分を越える球貸しが行われる場合には、２５個の球貸しを一単位とした複数単位の球貸しが行われる。
【００３６】
このように賞球排出及び球貸しの制御は、主制御部１４０によって行われ、球貸処理は賞球排出処理に優先して行われる。つまり、例えば複数の入賞球が記憶されるとともに、記憶された入賞球に対応する賞球排出が行われている最中に球貸しの必要が生じた場合には、その時点で排出中の単位賞球数の賞球排出が終了した後に球貸しが実行され、球貸し完了後に、残りの入賞球に対応する賞球排出が再開される。
【符号の説明】
【００３７】
１  遊技機
１０  操作パネル
１０ａ  球貸しボタン
７０  球流下部
７３  賞球通路
７４  貸球通路
７６  球送り部材
７６ａ  賞球送り部材
７６ｂ  貸球送り部材
７８  賞球カウントスイッチ
７９  貸球カウントスイッチ
８０  球排出モータ
８０ｅ  ワンウェイ駆動伝達部
９９  球排出装置
１４０  主制御部
１５０  枠制御部
【図１】
2010042289.tif 000003
【図２】
2010042289.tif 000004
【図３】
2010042289.tif 000005
【図４】
2010042289.tif 000006
【図５】
2010042289.tif 000007
【図６】
2010042289.tif 000008
【図７】
2010042289.tif 000009
【図８】
2010042289.tif 000010
【図９】
2010042289.tif 000011
【図１０】
2010042289.tif 000012